(57)【特許請求の範囲】
【請求項１】
箱体の開口部において外周部の一側面を対向させて配置した二つの扉と、
前記二つの扉の前記一側面以外の外周部の裏面に設けられ、閉扉時に前記箱体の開口部前縁に密着するガスケットと、
前記二つの扉の前記一側面に配置されて閉扉時に相互に密着する一対のガスケット
を備えて、
前記一対のガスケットのうち少なくとも一方のガスケットが可動ガスケットであり、
開扉時に前記可動ガスケットが支点を中心として相手側から離反するよう動作することにより前記一対のガスケット相互の密着を解除するように構成した扉装置であって、
前記扉に設けられ、前記可動ガスケットを保持して動作する保持部材と、
前記保持部材に取り付けられたラッチ部と、
前記箱体に設けられ前記ラッチ部と当接して前記保持部材を動作させるガイド部とを備え、
開扉時に、前記保持部材が支点を中心として回動することにより、前記一対のガスケット相互の密着を解除するように構成した扉装置。
【請求項２】
箱体の開口部左右両側に回動自在に枢支された観音開き式の両扉と、
前記両扉の裏面上下辺と前記両扉の枢支側の裏面縦辺に設けられ、閉扉時に前記箱体の開口部前縁に密着するガスケットと、
前記両扉の非枢支側の側面に配置されて閉扉時に相互に密着する一対のガスケットを備えて、
前記一対のガスケットのうち少なくとも一方のガスケットが、可動ガスケットであり、
開扉時に前記可動ガスケットが支点を中心として相手側から離反するよう動作することにより前記一対のガスケット相互の密着を解除するように構成した扉装置であって、
前記扉に設けられ、前記可動ガスケットを保持して動作する保持部材と、
前記保持部材に取り付けられたラッチ部と、
前記箱体に設けられ前記ラッチ部と当接して前記保持部材を動作させるガイド部とを備え、
開扉時に、前記保持部材が支点を中心として回動することにより、前記一対のガスケット相互の密着を解除するように構成した扉装置。
【請求項３】
請求項１または２に記載の扉装置であって、
前記保持部材と一体に設けられた、前記可動ガスケットを動作させるハンドルを前記扉に設けた扉装置。
【請求項４】
請求項１から３のいずれか一項に記載の扉装置であって、
前記保持部材が動作した後、前記保持部材を元の状態に戻す反発部材を設けた扉装置。
【請求項５】
請求項１から請求項４のいずれか一項に記載の扉装置であって、
前記保持部材を動作させるための支点に設けられた回動軸と、
前記回動軸の外れを防止する外れ防止部材を前記扉に設けた扉装置。
【請求項６】
請求項５に記載の扉装置であって、
前記外れ防止部材は、前記回動軸の軸受けを兼ねた部材である扉装置。
【請求項７】
前面を開口して内部に貯蔵室を形成した断熱箱体と、
前記貯蔵室の開口部左右両側に回動自在に枢支された観音開き式の両扉と、
前記両扉の裏面上下辺と前記両扉の枢支側の裏面縦辺に設けられ閉扉時に前記断熱箱体の開口部前縁に密着するガスケットと、
前記両扉の非枢支側の側面に配置されて閉扉時に相互に密着する一対の可動ガスケットと、
前記可動ガスケットを保持し回動軸を支点に回動する保持部材と、
前記保持部材が回動した後、前記保持部材をも元の状態に戻す反発部材と、
前記保持部材に取り付けられたラッチ部と、
前記断熱箱体に設けられ前記ラッチ部と当接して前記保持部材を前記回動軸を支点に回動させるガイド部
とよりなり、
開扉時に前記ラッチ部と前記ガイド部を当接することにより前記保持部材を回動させ前記可動ガスケット相互の密着を解除した後、開扉し、前記反発部材により前記保持部材を閉扉時の状態に復帰させる扉装置を備えた冷蔵庫。
【請求項８】
前面を開口して内部に貯蔵室を形成した断熱箱体と、
前記貯蔵室の開口部左右両側に回動自在に枢支された観音開き式の両扉と、
前記両扉の裏面上下辺と前記両扉の枢支側の裏面縦辺に設けられ閉扉時に前記断熱箱体の開口部前縁に密着するガスケットと、
前記両扉の非枢支側の側面に配置されて閉扉時に相互に密着する一対の可動ガスケットと、
前記可動ガスケットを保持し回動軸を支点に回動する保持部材と、
前記保持部材が回動した後、前記保持部材をも元の状態に戻す反発部材と、
前記保持部材に取り付けられたラッチ部と、
前記断熱箱体に設けられ前記ラッチ部と当接して前記保持部材を前記回動軸を支点に回動させるガイド部
とよりなり、
閉扉時に前記ラッチ部と前記ガイド部を当接することにより前記保持部材を可動ガスケットの密着解除方向に回動させた後、前記反発部材により前記保持部材を復帰させ、前記可動ガスケットを相互に密着させる扉装置を備えた冷蔵庫。
【請求項９】
請求項７または請求項８に記載の冷蔵庫であって、
前記ラッチ部を前記保持部材の上部に設け、前記ガイド部を貯蔵室内の上面に設けた冷蔵庫。
【請求項１０】
請求項９に記載の冷蔵庫であって、
複数の貯蔵室を備え、前記複数の貯蔵室の最上部の貯蔵室に扉装置を備えた冷蔵庫。
【発明の詳細な説明】
【０００１】
【発明の属する技術分野】
本発明は、扉装置およびこの扉装置を備えた冷蔵庫に関するものである。
【０００２】
【従来の技術】
近年、冷蔵庫においては大型化に伴い、貯蔵室の開口部を二枚の扉によって開閉する、いわゆる観音開き式の扉装置を採用したものが提供されている。
【０００３】
従来の観音開き式の扉を有する冷蔵庫は、両扉の裏面に設けたガスケットによって庫内を気密に保っている。そのために、扉の非枢支側に位置するガスケットが当接する面を形成しなけばならない。そのため断熱箱体の開口部に、そこを区画する閉塞材を取り付けていた。
【０００４】
従来の扉装置としては、たとえば、特開平１−２０８６９０号公報に示されているものがある。
【０００５】
以下、図面を参照しながら上記従来の扉装置を説明する。
【０００６】
図１０は従来の冷蔵庫の斜視図である。
【０００７】
図１１は従来の冷蔵庫の正面図である。
【０００８】
図１２は、従来の冷蔵庫の開口部平面断面図である。
【０００９】
図１３は、従来の冷蔵庫の扉の斜視図である。
【００１０】
図１０から図１３における冷蔵庫1においては、鋼板製の外箱２と合成樹脂を形成して成る内箱３と、両箱２，３間に充填される図示しない発泡断熱材とが、前方に開口した断熱箱体４を構成する。この断熱箱体４の開口部５の左右縁部に上下ヒンジ６により回動できるように支持された二枚の観音開式扉７，８によって開口部５を構成している。
【００１１】
扉７，８のそれぞれの非枢支側に位置する部分の断熱箱体４の開口５縁部の上下には、ガイド部材９がそれぞれ相対向して設けられている。ガイド部材９には、案内溝１０が形成されている。扉７，８は、枠部材１１，１２と、外枠１５，１６と、扉内板２１，２２と、断熱材２３で構成されている。外枠１５，１６は、枠部材１１，１２と、それに係合される扉外板１３，１４から成る。扉内板２１，２２は、枠部材１１，１２の内フランジ１７，１８を当接して成る。断熱材２３は、外枠１５，１６及び扉内板２１，２２間にそれぞれ発泡充填されている。
【００１２】
扉内板２１，２２には、それぞれ左右一対の縦壁２４，２５が形成されている。また、枠部材１１，１２端部の溝２６，２７には磁石を内蔵するガスケット２８が取り付けられている。そのヒレ２９は、非枢支側の縦壁２４，２５にそれぞれ密接する。ガスケット２８は、扉７，８の閉塞時に、断熱箱体４の開口５の外箱２前縁に密着して庫内３０をシールする。
【００１３】
さらに、扉７の裏面の非枢支側に位置するガスケット２８より、内側の縦壁２４の外側には、断面が略短形状の仕切体３１が取り付けられる。ヒンジ板３２は、縦壁２４の外側面において上下二箇所で、断熱材２３側の補強板３３にネジ３４にて固定される。仕切体３１は、このヒンジ板３２の回動軸３５に回動自在に支持されている。仕切体３１は、開口５縁を上下に渡る長さであって上下のガイド部材９、ガイド部材９の案内溝１０、案内溝１０の間隔よりも少し短い寸法で上下に延在している。前面は平面として図１３の如く鋼板３６が取り付けられている。
【００１４】
さらに、その上下端には係合部として突起３７が上下方向にそれぞれ突出形成されている。ヒンジ板３２は、仕切体３１の扉７側の後縁部に上下二箇所形成した切欠部３８より仕切体３１内に挿入されてそこに回動軸３５を位置せしめている。この回動軸３５には、コイルばねから成るバネ部材３９が挿通され、一端をヒンジ板３２に、又、他端を回動軸３５から離間した仕切体３１内の爪４００にそれぞれ係合している。こうして、コイルばねの復元力により仕切体３１を、常時、図１２の矢印４１０が示すように時計回りに回動する様に構成されている。
【００１５】
以上のように構成された従来の扉装置について、以下その動作を説明する。
【００１６】
仕切体３１は、扉７が開放された状態でバネ部材３９の復元力によって、図１２中破線で示す如く、扉内板２１の縦壁２４外側面に沿ってネジ３４に当接した状態で保持されている。この初期状態において使用者の手が誤って仕切体３１に当たって、図１２において、反時計回りに回動させられても、バネ部材３９によって初期状態に復帰できる。この動作は仕切体３１の回動角度に無関係に行われる。したがって、仕切体３１が回動されたまま扉７が閉じられ、ガイド部材９の突部に仕切体の突起３７が衝突して破損することを防止できる。
【００１７】
次に扉７を閉じていくと、やがて仕切体３１の突起３７が案内溝１０内に進入して案内溝１０内の曲面に沿って摺動する。それに伴い仕切体３１は、回動軸３５を中心にバネ部材３９に抗して反時計回りに回動して、突起３７は案内溝１０の奥部に進入して行く。逆に、扉７を開ける場合は、突起３７が案内溝１０内の曲面に沿って摺動する。そのとき、仕切体３１は、バネ部材３９の復元力によって、時計回りに回動させられ、やがて初期状態に復帰する。
【００１８】
【発明が解決しようとする課題】
しかしながら、上記従来の構成においては、仕切体３１が扉７の縦壁２４の外側に取り付けられている。したがって、両扉７，８の閉扉時にはガスケット２９により庫内３０の気密性は十分たもたれる。開扉時には、仕切体３１が、縦壁２４の外側を回動する。そのため、仕切体３１が、回動するための空間を扉７，８内に設けなければならない。つまり縦壁２４，２５を扉の枢支側に移動させなければならない。このため扉７，８内の食品収納スペースが減少し、食材収納においては使用者にとって使い勝手が悪い。
【００１９】
また、扉７の開閉時、仕切体３１は突起３７がガイド部材９の案内溝１０に沿って９０度回動して摺動する。したがって、突起３７と案内溝１０の摩擦係数が大きくなる。よって、扉７の開扉力が大きくなり、扉開閉においては使用者にとって使い勝手が悪い。
【００２０】
さらには、使用者が扉を閉めたと思っても、摩擦力とバネ部材３９の反発力により不完全な閉まり方になった場合には、庫内温度が上昇し食品鮮度を低下させる可能性がある。
【００２１】
また、仕切体３１は、完全に庫内３０に位置するため扉閉時には庫内の冷気により冷やされる状態となる。このため仕切体３１内に構成されている鋼板３６も冷却される。鋼板３６は庫外に接しているため結露が発生することがある。そのため対応策として仕切体内に発熱源となる部材（例えばヒーター）を配接しなければならなくなる。したがって、冷蔵庫の吸熱量が増え、その消費電力量の増加につながる。
【００２２】
【課題を解決するための手段】
本発明は上記の課題に鑑みて、扉内側の食品収納スペースを有効に確保し、開扉力が小さく、使い勝手の良い扉装置を提供することを目的とする。
【００２３】
さらに本発明の他の目的は、扉シール構造における吸熱量を押さえた扉装置により消費電力量を低減できる冷蔵庫を提供することである。
【００２４】
【発明の実施の形態】
以下、本発明による冷蔵庫の扉装置の実施の形態について、図面を参照しながら説明する。
【００２５】
（実施の形態１）
図1は、本発明の実施の形態１による冷蔵庫の外観正面図である。図２は同実施の形態の冷蔵庫の庫内斜視図である。図３は同実施の形態の扉装置の裏面斜視図である。図４は図１の４−４線に沿った扉の断面図である。図５は図１の５−５線にそった扉の断面図である。
【００２６】
図１から図５の冷蔵庫本体４０において、鋼板製の外箱４１と、樹脂にて形成された内箱４２と、両箱４１，４２間に充填される図示しない発泡断熱材とが、前方に開口した断熱箱体４３を構成している。この断熱箱体４３は、複数の貯蔵室４４ａ，４４ｂ，４４ｃを含んでいる。そして、最上部の貯蔵室４４ａは、左右縁部に上下ヒンジ４５により回動自在に枢支された二枚の観音開式扉４６，４７によって開閉できるように構成されている。
【００２７】
断熱箱体４３において、扉４６，４７のそれぞれの非枢支側に位置する部分で、断熱箱体４３の開口部４４の縁部の上部には、ガイド部４８が設けられている。
【００２８】
ガイド部４８には、先端が円形状を形成している同一形状の突部４９が、開口部４４の左右方向に並んで二つ形成されている。
【００２９】
扉４６，４７は、扉外板４８０，４９０と、フランジ５０と、側板５１，５２と、扉内板５３，５４と、発泡断熱材５５とを含んでいる。
【００３０】
ここで、フランジ５０は、庫外側にコの字形状をして、扉４６，４７の非枢支側の側面に取り付けられている。側板５１，５２は、凹部５１ａ，５２ａを有する。扉内板５３，５４は、側板５１，５２の庫内側外周フランジに当接している。発泡断熱材５５は、外板４８，４９と側板５１，５２及び内板５３，５４間にそれぞれ発泡充填されている。
【００３１】
また、扉収納部５３ａ，５４ａは、内板５３，５４によって、扉４６，４７の裏面の室内側に形成されている。
【００３２】
扉側板５１，５２の凹部５１ａ，５２ａ内には、溝５６，５７と、ヒレ部５８，５９と、ラッチ部６４，６５と、保持部材６８，６９が取り付けられている。ここで、ヒレ部５８，５９は、先端が凹部５１ａ，５２ａに接している。
【００３３】
ラッチ部６４，６５は、傾斜面６０，６１、傾斜面６２，６３とを有し、ガイド部４８の突部４９と扉閉塞時に同一高さに位置する。保持部材６８，６９は、回動軸６６，６７を含んでいる。
【００３４】
保持部材６８，６９は、開口部４４を上下に渡る寸法で延在している。また、保持部材６８，６９は、回動軸６６，６７を中心にして、扉側板５１，５２の凹部５１ａ，５２ａ内にて回動自在に支持されている。さらに、保持部材６８，６９は、回動軸６６，６７の扉側板５１，５２からの外れ防止用として外れ防止部材７０，７１にて、固定されている。外れ防止部材７０，７１は、回動軸６６，６７の軸受けの役目も兼ねている。
【００３５】
保持部材６８，６９の溝５６，５７には、庫外側先端に袋部７２を設けられている。さらに、溝５６，５７には、互いに異極に磁化されたマグネット７３ａを内蔵した可動ガスケット７３が、互いに向かい合う形で保持部材６８，６９と、縦方向に同一長さ寸法で取り付けられている。
【００３６】
また、扉４６，４７の裏面上下辺と扉４６，４７の枢支側の裏面縦辺には固定式のガスケット７３ｂが取付けられている。
【００３７】
回動軸６６，６７にはコイルバネから成るバネ部材７４，７５が挿通されている。バネ部材７４，７５は、一端を側板５１，５２に、又、他端を保持部材６８，６９に、それぞれ、接している。扉４６，４７の閉塞時に、ヒレ部５８，５９は、扉側板５１，５２の凹形状の底面に接することで庫内７６をシールする。さらに、可動ガスケット７３の袋部７２は、フランジ５０と当接することにより、庫内７６をシールする。
【００３８】
以上のように構成された扉装置を備えた冷蔵庫について、以下その動作を説明する。
【００３９】
観音開式扉４６，４７が、両方とも閉塞状態にあるときはバネ部材７４，７５の復元力によって可動ガスケット７３の表面は互いに密着状態となり庫内７６をシールする。さらに、そのとき、可動ガスケット７３の袋形状７２が、扉側板５１，５２のフランジ５０と当接することにより、庫内７６の冷気が扉側板５１，５２と保持部材６８，６９の間に侵入した状態においても、庫内７６をシールすることができる。
【００４０】
また、可動ガスケット７３内に内蔵された異極同士のマグネット７３ａの接合により可動ガスケット７３は互いに吸着状態となる。したがって、庫内７６のシールの確実さをを高めることができる。また、保持部材６８，６９に設けられたヒレ部５８，５９によって、庫内７６の冷気が、扉側板５１，５２と保持部材６８，６９の間に侵入した状態においても、庫内７６をシールすることができる。
【００４１】
次に、扉４７を開けていくと、やがて保持部材６９は、ラッチ部６５の傾斜面６３がガイド部４８の突部４９に沿った動作を行う。したがって、は、保持部材６９は、回動軸６７を支点にして矢印２００のごとく回動する。これにより、可動ガスケット７３は互いの密着状態が強制的に解除される。したがって、扉を開く時に、可動ガスケット７３の表面が、互いにこすれることがない。こうして、ガスケットの耐久強度が向上する。また、ガスケット表面がこすれて静電気が発生し汚れが、ガスケット表面に付着することもない。また、ガスケットのこすれによる摩擦音の発生もなくなる。さらには、扉開放力を低減することができるので、使用者の使い勝手の向上す  そしてさらに扉４７を開けていくとバネ部材７５の復元力によって傾斜面６１がガイド部４８の突部４９に沿った動作を行う。したがって、回動軸６７を支点にして、保持部材６９は、扉閉塞状態と同じ状態に復帰する。これにより扉側板５２と保持部材６９の間に異物が入り込む事がなくなる。これは扉閉塞状態においても同様である。
【００４２】
次に、扉４７を閉めていくと、傾斜面６１と傾斜面６３が、ガイド部４８の突部４９に沿った動作を行う。したがって、扉を開けていく状態と同一の動作を行い、同一の効果が得られる。
【００４３】
また、扉が閉塞状態、開放状態の両状態時において回動軸６６，６７は外れ防止部材７０，７１によって固定されている。これにより、バネ部材７４，７５の復元力により、保持部材６８、６９が扉側板５１、５２から外れることなく安定しスムーズな回動が得られる。
【００４４】
以上のように、本発明の扉装置は、従来のシール構造に比べて簡素な構成で確実な密着シール構造が実現できる。したがって、この扉装置は、経済的であり、且つ動作の信頼性や安定性が確保できる。また、この扉装置は、仕切体を用いないため結露防止用の発熱体も不要となる。こうして、この扉装置においては、そのシール効果が、貯蔵室４４ａ内への吸熱量の低減と協動して、冷蔵庫の電力消費を低減する。
【００４５】
また、以上の構成を片側の扉のみに設けた場合は、可動ガスケット７３が回動するために必要な構成部品が半減する。したがって、冷蔵庫の組み立て性が向上し、その材料費の低減する。
【００４６】
以上の構成、動作により従来、扉間に設けられていた仕切体を廃止することができる。それにより貯蔵室４４ａ内の食品収納スペース、特に扉裏面の扉収納部５３ａ，５４ａの収納スペースが増大し使用者の使い勝手が向上する。
【００４７】
また、ラッチ部６５に対するガイド部４８は、貯蔵室４４ａ内の上面に設けられている。したがって、ガイド部４８は、貯蔵室４４ａ内への物品の出し入れの邪魔にならず、貯蔵室の収納能力に影響を及ぼすことがない。
【００４８】
また、最上部の貯蔵室４４ａにこの扉装置を設けることによって、使用者が対面して見渡せる使用頻度の高い貯蔵室の収納スペースが向上し、使い勝手を高めることができる。
【００４９】
なお、本実施の形態において、可動ガスケット７３は、二枚の観音開き式扉４６，４７間に設けられている。
【００５０】
また、二枚の引き出し式扉間に設けることによっても、同様の効果が得られる。そのとき、引き出し扉間の仕切体を廃止することができる。したがって、引き出し扉と一体に出入りする収納容器の上下寸法が拡大され得るので、食品収納スペースが増大する。
【００５１】
（実施の形態２）
図６は、本発明の実施の形態２による冷蔵庫の外観正面図である。図７は同実施の形態の冷蔵庫の庫内の斜視図である。図８はこの実施の形態の冷蔵庫の扉裏面の斜視図である。図９は図６における９−９線に沿った扉の断面図である。
【００５２】
図６から図９において、冷蔵庫本体７７は、鋼板製の外箱７８と、樹脂によって形成された内箱７９と、前方に開口した断熱箱体８０を含んでいる。断熱箱体８０は、両箱７８，７９間に充填される図示しない発泡断熱材を含んでいる。二枚の観音開式扉８３，８４は、この断熱箱体８０の上段開口部８１の左右縁部に上下ヒンジ８２により回動自在に枢支されている。扉８３，８４は、開口部８１を開閉する。
【００５３】
扉８３，８４は、それぞれ、扉外板８５，８６と、凹形状の扉側板８７，８８と、扉内板９０，９１と、発泡断熱材９１とから構成されている。ここで、扉内板９０，９１は、それぞれ、側板８７，８８の庫内側外周フランジに当接している。発泡断熱材９１は、外板８５，８６と側板８７，８８及び内板８９，９０間にそれぞれ発泡充填されされている。
【００５４】
扉側板８７，８８の凹形状部８７ａ，８８ａ内には、溝９２，９３と、先端が扉側板８７，８８の凹形状部８７ａ，８８ａに接したヒレ部９４，９５と、庫外に面した取手部９６，９７と、回動軸９８，９９が構成されたハンドル１００，１０１が、それぞれ、取り付けられている。溝９２，９３は開口部８１を上下に渡る寸法で延在している。ハンドル１００，１０１は、回動軸９８，９９を中心にして回動自在に支持されている。溝９２，９３には、可動ガスケット１０３が、互いに向かあって、溝９２，９３と同一長さ寸法で取り付けられている。可動ガスケット１０３は、互いに複数の異極に磁化されたマグネット１０２を内蔵している。なお、マグネット１０２は、可動ガスケット１０３が互いに向かいあった状態で、Ｎ極、Ｓ極が互いに向かい合うように磁化されている。
【００５５】
扉８３，８４の裏面上下辺と、扉８３，８４の枢支側の裏面縦辺に、固定式のガスケット１０３ａが取付けられている。
【００５６】
回動軸９８，９９には、コイルバネから成るバネ部材１０４，１０５が、反発部材として、挿通されている。バネ部材１０４，１０５の一端は、側板８７，８８に、また、他端は、ハンドル１００，１０１にそれぞれ接している。扉８３，８４の閉塞時に、ヒレ部９４，９５は、扉側板８７，８８の凹形状部８７ａ，８８ａの底面に接する。したがって、ヒレ部９４，９５は、貯蔵室１０６との間をシールする。
【００５７】
以上のように構成された冷蔵庫について、以下その動作を説明する。
【００５８】
観音開式扉８３，８４が両方とも閉塞状態にあるときは、バネ部材１０４，１０５の復元力によって可動ガスケット１０３の表面は互いに密着状態となり庫内１０６をシールする。また、可動ガスケット１０３内に内蔵された磁石の接合により、可動ガスケット１０３は互いに密着状態となる。したがって、可動ガスケット１０３は、庫内１０６をシールする。また、ハンドル１００，１０１に設けられたヒレ部９４，９５は、庫内１０６の冷気が扉側板８７，８８と溝９２，９３の間に侵入した状態においても、庫内１０６をシールする。
【００５９】
次に、扉８４をハンドル１０１に手を掛けながら開けていくと、ハンドル１０１が回動軸９９を支点にして矢印２２０のごとく回動する。これにより可動ガスケット１０３は、互いの密着状態が強制的に解除される。したがって、扉開時において、可動ガスケット１０３の表面が、互いにこすれることがなくなり、ガスケットの耐久強度が向上する。また、ガスケット表面がこすれて静電気が発生し汚れが付着することも無い。また、ガスケット表面のこすれによる摩擦音の発生もない。さらには、扉開放力を低減することができ、使用者の使い勝手が向上する。
【００６０】
さらに、扉８４を開けたのち、ハンドル１０１から手を放すと、バネ部材１０５の復元力によって、ハンドル１０１は、回動軸９９を支点にして回動して、扉閉塞状態と同じ状態に復帰する。こうして、扉側板８８とハンドル１０１の間に異物が入り込む事が無くなる。これは扉閉塞状態においても同様である。
【００６１】
次に、扉８４を閉めていくと、多くの場合、可動ガスケット１０３内の磁石１０２は、最初に同極同士が向かい合う。そうすると、磁石１０２は反発し合うため、可動ガスケット１０３も反発しあう。これにより可動ガスケット１０３の表面が互いにこすれることがなくなり、扉を開く時と同等の効果が得られる。さらに扉８４を閉めていくと、可動ガスケット１０３内のマグネット１０２は異極同士が向かい合うので互いに吸着を始める。最終的には、異極同士が、近接して、吸着するので、可動ガスケット１０３は密着状態を確保する。
【００６２】
以上の構成、動作により、ハンドル１０１を軽い力で操作するだけで可動ガスケット１０３の密着状態を解除して扉８３，８４を開放することができる。したがって、使用者の扉操作が極めて楽になる。
【００６３】
なお、上述の実施の形態１と同様に、従来扉８３，８４の間に設けられていた仕切体を廃止することができる。したがって、貯蔵室１０６内の食品収納スペースが増大し使用者の使い勝手の向上が図れる。同時に、結露防止用の発熱体を必要としないので、電力消費も低減できる。
【００６４】
【発明の効果】
本発明の扉装置は、両扉間のシールを仕切体を用いずガスケット同志で行うことができる。したがって、コストの点からの効果があり、庫内側の食品収納スペースを増大させることができる。また、この扉装置は、密閉構造を簡素にしたことより、冷蔵庫における実効的な貯蔵室の広さが大きくなり、その経済性が向上する。
【００６５】
また、本発明の扉装置は、ガスケットの密着面内側のマグネットによって、扉相互間の密着度が高いので庫内外のシールを確実にできる。
【００６６】
さらに、ここで、閉扉時相互に対向するマグネットを異極としたので、異極同志の反発によって、ガスケットが互いにこすれることがない。したがって、ガスケットの耐久信頼性を維持しながら密着シールできる。
【００６７】
また、この扉装置は、可動ガスケットの動作により、扉を軽い力で開放できる。
【００６８】
さらに、この扉装置は、ラッチ部とガイド部によってガスケットの動作をスムーズに行うことができ、ガスケットが互いにこすれることが無くガスケットの耐久性が向上し、さらに扉開閉にかかる力が低減される。
【００６９】
また、この扉装置は、そのガイド部により、ガスケットの耐久性を維持しながら、扉開閉にかかる力を低減できる。
【００７０】
さらに、この扉装置は、ハンドルによって小さな力でガスケットの動作を容易に行うことができ、扉開閉にかかる力を一層低減できる。
【００７１】
また、この扉装置は、反発部材により、保持部材を確実に動作前の取り付け状態に戻して次の動作に備えることができ、動作の信頼性を高めることができる。
【００７２】
さらに、扉に設けた外れ防止部材が回動軸の外れを防止するので、保持部材の動作信頼性を向上できる。
【００７３】
さらに、回動軸の軸受けを兼ねた部材とした保持部材は、保持部材の動作信頼性と安定性を向上できる。
【００７４】
また、開扉力が低減して操作性を向上できる。さらに、結露防止用の発熱体を用いず電力消費を低減することができる。
【００７５】
また、本発明の冷蔵庫は、ラッチ部を保持部材の上部に設け、ガイド部を貯蔵室内の上面に設けたので、貯蔵室内への物品の出し入れが阻害されず収納性に影響を及ぼさない。
【００７６】
また、本発明の冷蔵庫は、複数の貯蔵室の最上部の貯蔵室に扉装置を備えている。したがって、使用者が対面して見渡せるとともに、使用頻度の高い貯蔵室の収納スペースを増大できるため使い勝手がよい。
【００７７】
以上のように、本発明は、多くの実用的な効果をもつ扉装置と冷蔵庫を提供する。
【図面の簡単な説明】
【図１】  本発明による冷蔵庫の実施の形態１の外観正面図
【図２】  実施の形態１の冷蔵庫の庫内の斜視図
【図３】  実施の形態１の扉裏面の斜視図
【図４】  図１の４−４線にそった実施の形態１の冷蔵庫の扉の断面図
【図５】  図１の５−５線にそった実施の形態１の冷蔵庫の扉の断面図
【図６】  本発明による冷蔵庫の実施の形態２の外観正面図
【図７】  実施の形態２の冷蔵庫の庫内の斜視図
【図８】  実施の形態２の扉裏面の斜視図
【図９】  図６の６−６線断面図
【図１０】  従来の冷蔵庫の斜視図
【図１１】  従来の冷蔵庫の正面図
【図１２】  従来の冷蔵庫の要部の断面図
【図１３】  従来の冷蔵庫の要部の斜視図
【符号の説明】
４０  冷蔵庫本体
４３  断熱箱体
４４ａ  貯蔵室
４６  観音開き式扉
４７  観音開き式扉
４８  ガイド部
４９  突起
５３ａ  扉収納部
５４ａ  扉収納部
６４  ラッチ部
６６  回動軸
６７  回動軸
６８  保持部材
６９  保持部材
７０  外れ防止部材
７１  外れ防止部材
７３  可動ガスケット
７３ａ  マグネット
７３ｂ  ガスケット
７４  バネ部材
７５  バネ部材
７７  冷蔵庫本体
８０  断熱箱体
８３  観音開き式扉
８４  観音開き式扉
１００  ハンドル
１０１  ハンドル
１０２  マグネット
１０３  可動ガスケット
【図１】
0004608840.tif 000002
【図２】
0004608840.tif 000003
【図３】
0004608840.tif 000004
【図４】
0004608840.tif 000005
【図５】
0004608840.tif 000006
【図６】
0004608840.tif 000007
【図７】
0004608840.tif 000008
【図８】
0004608840.tif 000009
【図９】
0004608840.tif 000010
【図１０】
0004608840.tif 000011
【図１１】
0004608840.tif 000012
【図１２】
0004608840.tif 000013
【図１３】
0004608840.tif 000014